(57)【要約】【課題】可動片に対するバックテンションの方向で可動片の保持力にばらつく点を解決することで、可動片の保持力に与える影響を最小限に抑えることを可能にする。【解決手段】磁性体で形成するヨーク１１と、このヨーク１１にボビン１４を介して巻いたコイル（第１・第２のコイル）１５，１６と、ヨーク１１に取付けた永久磁石１７と、ヨーク１１に吸着可能に取付けるとともにヨーク１１に開放可能に取付ける磁性体の可動片１８と、この可動片１８を開放する方向に付勢する付勢手段１９と、から構成し、コイル１５，１６を励磁したときに可動片１８を吸着状態から開放状態に移行させる小型自己保持型ソレノイドにおいて、可動片１８に、付勢手段１９に嵌合する嵌合孔３３を設け、この嵌合孔３３の端面３３ａに端面３３ａの中心に向けて凸に形成する凸部３４を設けた【選択図】図６
2007287741.tif 000002
【特許請求の範囲】
【請求項１】
磁性体で形成するヨークと、このヨークにボビンを介して巻いたコイルと、ヨークに取付けた永久磁石と、ヨークに吸着可能に取付けるとともにヨークに開放可能に取付ける磁性体の可動片と、この可動片を開放する方向に付勢する付勢手段と、から構成し、前記コイルを励磁したときに可動片を吸着状態から開放状態に移行させる小型自己保持型ソレノイドにおいて、
前記可動片に、前記付勢手段に嵌合する嵌合孔を設け、この嵌合孔の端面に端面の中心に向けて凸に形成する凸部を設けたことを特徴とする小型自己保持型ソレノイド。
【請求項２】
前記凸部を、曲線状に形成したことを特徴とする請求項１記載に小型自己保持型ソレノイド。
【発明の詳細な説明】
【技術分野】
【０００１】
本発明は、光ディスクドライブ等のトレーのロック／イジェクトなどに使用される小型自己保持型ソレノイドの改良に関するものである。
【背景技術】
【０００２】
小型自己保持型ソレノイドとして、ヨーク（固定鉄心）にコイルを巻き、ヨークにマグネットを取付け、ヨークに可動片をスライド可能に取付け、この可動片にバックテンションを与え、コイルに励磁したときに可動片を吸着状態から開放状態に移行させるものが実用に供されている。
実用の小型自己保持型ソレノイドは、適宜、可動片に所定圧のバックテンションを与えるようにすれば実用上十分であった。
【０００３】
このような小型自己保持型ソレノイドとして、コイルに励磁するたびに可動片がバックテンションの力でヨークから離れるようにコンパクトに形成されたものが知られている（例えば、特許文献１参照。）。
【特許文献１】特開２００５−１５９２３７号公報（第９頁、図１）
【０００４】
特許文献１の技術を説明する。
図９は従来の基本構成を説明する図であり、小型自己保持型ソレノイド２００は、磁性体で形成する略Ｕ字状のヨーク２０１と、この略Ｕ字状のヨーク２０１の二股部２０２，０２にボビン２０３を介して連続的に巻くとともに並列配置した第１・第２のコイル２０４，２０５と、略Ｕ字状のヨーク２０１の根元部２０６に取付けた永久磁石２０７と、ヨーク２０１の二股部２０２，２０２に吸着可能に取付けるとともにヨーク２０１の二股部２０２，２０２に開放可能に取付ける磁性体の可動片２０８と、この可動片２０８を開放する方向に付勢する付勢手段２０９と、からなる。
【０００５】
図中、２１１は可動片２０８の孔２１６に嵌合させる付勢手段２０９のピン状部材、２１３は付勢手段２０９の引張りばね、２１４は引張りばね２１３を支持する支持部、２１４，２１５は第１・第２のコイル２０４，２０５の接続端子である。
【０００６】
しかし、このような小型自己保持型ソレノイド２００では、例えば、ピン状部材２１１の成形のばらつきや小型自己保持型ソレノイド２００の取付けのばらつきで、可動片２０８の孔２１６の端面に対してピン状部材２１１が傾いて接触する場合には、可動片２０８を傾けるような付勢手段２０９の力（可動片２０８に剥離方向の力）が作用する。この結果、可動片２０８の保持力に大きなばらきが発生し、本来補償すべき保持力（スペック）を満足できないと言うことがあった。
【０００７】
すなわち、小型自己保持型ソレノイドにバックテンション（付勢手段）を加えて使用する場合に、可動片に対するバックテンションの方向にばらつきが発生する場合にも、可動片の保持力に与える影響を最小限に抑えることができる小型自己保持型ソレノイドが望まれる。
【発明の開示】
【発明が解決しようとする課題】
【０００８】
本発明は、小型自己保持型ソレノイドにバックテンションを加えて使用する場合に、可動片に対するバックテンションの方向で可動片の保持力にばらつく点を解決し、可動片に対するバックテンションの方向が変化する場合にも、可動片の保持力に与える影響を最小限に抑えることができる小型自己保持型ソレノイドを提供することを課題とする。
【課題を解決するための手段】
【０００９】
請求項１に係る発明は、磁性体で形成するヨークと、このヨークにボビンを介して巻いたコイルと、ヨークに取付けた永久磁石と、ヨークに吸着可能に取付けるとともにヨークに開放可能に取付ける磁性体の可動片と、この可動片を開放する方向に付勢する付勢手段と、から構成し、コイルを励磁したときに可動片を吸着状態から開放状態に移行させる小型自己保持型ソレノイドにおいて、可動片に、付勢手段に嵌合する嵌合孔を設け、この嵌合孔の端面に端面の中心に向けて凸に形成する凸部を設けたことを特徴とする。
【００１０】
請求項２に係る発明は、凸部を、曲線状に形成したことを特徴とする。
【発明の効果】
【００１１】
請求項１に係る発明では、可動片に、付勢手段に嵌合する嵌合孔を設け、この嵌合孔の端面に端面の中心に向けて凸に形成する凸部を設けたので、例えば、可動片を開放する方向に付勢する付勢手段に方向のばらつきが発生した場合にも、嵌合孔の端面の中心で付勢手段を受けることができる。この結果、可動片の保持力に与える影響を最小限に抑えることができ、小型自己保持型ソレノイドの信頼性の向上を図ることができるという利点がある。
【００１２】
請求項２に係る発明では、凸部を、曲線状に形成したので、例えば、可動片を開放する方向に付勢する付勢手段に方向のばらつきに対しての適応範囲を拡げることができる。この結果、小型自己保持型ソレノイドの更なる信頼性の向上を図ることができるという利点がある。
【発明を実施するための最良の形態】
【００１３】
本発明を実施するための最良の形態を添付図に基づいて以下に説明する。なお、図面は符号の向きに見るものとする。
図１は本発明に係る小型自己保持型ソレノイドの分解斜視図であり、小型自己保持型ソレノイド１０は、磁性体で形成する略Ｕ字状のヨーク１１と、この略Ｕ字状のヨーク１１の二股部２２，２２（図２参照）にボビン１４を介して連続的に巻くとともに並列配置したコイルとしての第１・第２のコイル１５，１６と、略Ｕ字状のヨーク１１の根元部２１に取付けた永久磁石１７と、ヨーク１１の二股部２２，２２に吸着可能に取付けるとともにヨーク１１の二股部２２，２２に開放可能に取付ける磁性体の可動片１８と、この可動片１８を開放する方向に付勢する付勢手段１９（図５参照）と、からなる。
【００１４】
図２は本発明に係る小型自己保持型ソレノイドの平面図であり、図３は本発明に係る小型自己保持型ソレノイドの側面図である。
ヨーク１１は、板材の磁性体にて形成する部材であり、根元部２１と、この根元部２１から二股状に延出した二股部２２，２２と、根元部２１に形成することで永久磁石１７を取付ける取付孔２３と、根元部２１に形成した止め孔２４，２４とからなる。
【００１５】
ボビン１４は、第１のコイル１５を巻回する第１の巻線部２５と、第２のコイル１６を巻回する第２の巻線部２６と、これらの第１・第２の巻線部２５，２６を折曲げ可能に繋いだヒンジ部２９と、第１・第２の巻線部２５，２６にそれぞれ形成した第１・第２の接続端子２７，２８と、からなる。
【００１６】
第１・第２のコイル１５，１６は、電気的に直列に接続された連続的なコイルである。
永久磁石１７は、直方体を呈し、希土類にて形成したものである。
可動片１８は、板材の磁性体にて形成する部材であり、基部３１と、この基部３１から延出することでヨーク１１の二股部２２，２２にそれぞれ吸着させる吸着部３２，３２と、基部３１に形成することで付勢手段１９に嵌合させる嵌合孔３３と、この嵌合孔３３の端面３３ａに形成した凸部３４と、からなる。
【００１７】
図４（ａ）〜（ｂ）は本発明に係る小型自己保持型ソレノイドの可動片の嵌合孔の断面図である。
（ａ）において、実施例の可動片１８に形成した嵌合孔３３の凸部３４を示し、凸部３４を、プレス成形機を用いて曲線状に形成するものである。
（ｂ）において、別実施例の可動片５１に形成した嵌合孔５２の凸部５３を示し。凸部５３を比較的大きな曲線に形成したものである。
（ｃ）において、さらなる別実施例の可動片５４に形成した嵌合孔５５の凸部５６を示し。凸部５６を略三角形に形成したものである。
【００１８】
図５は本発明に係る小型自己保持型ソレノイドの実装状態を示す平面図であり、付勢手段１９は、略Ｌ字状に形成したピン状部材３７と、このピン状部材３７に取付けた引張りばね３８と、この引張りばね３８を支持する支持部３９と、からなる。４１は嵌合孔３３の凸部３４に嵌合させる嵌合部を示す。図中、６１は小型自己保持型ソレノイド１０を止める止めねじ、６２は第１・第２のコイル１５，１６を励磁する電源、６３は電源をＯＮ／ＯＦＦするスイッチを示す。
【００１９】
小型自己保持型ソレノイド１０は、磁性体で形成するヨーク１１と、このヨーク１１にボビン１４を介して巻いたコイル（第１・第２のコイル）１５，１６と、ヨーク１１に取付けた永久磁石１７と、ヨーク１１に吸着可能に取付けるとともにヨーク１１に開放可能に取付ける磁性体の可動片１８と、この可動片１８を開放する方向に付勢する付勢手段１９と、から構成し、コイル１５，１６を励磁したときに可動片１８を吸着状態から開放状態に移行させる小型自己保持型ソレノイドにおいて、可動片１８に、付勢手段１９に嵌合する嵌合孔３３を設け、この嵌合孔３３の端面３３ａに端面３３ａの中心に向けて凸に形成する凸部３４を設けたものと言える。
【００２０】
例えば、可動片に対するバックテンションの方向が変化する場合にも、可動片の保持力に与える影響を最小限に抑えることができれば、小型自己保持型ソレノイドの信頼性の向上を図ることができるので好ましいことである。
【００２１】
そこで、可動片１８に、付勢手段１９に嵌合する嵌合孔３３を設け、この嵌合孔３３の端面３３ａに端面３３ａの中心に向けて凸に形成する凸部３４を設けることで、例えば、可動片１６を開放する方向に付勢する付勢手段１９に方向のばらつきが発生した場合にも、嵌合孔３３の端面３３ａの中心で付勢手段１９を受けることができる。この結果、可動片１８の保持力に与える影響を最小限に抑えることができ、小型自己保持型ソレノイド１０の信頼性の向上を図ることができる。
【００２２】
図６は本発明に係る小型自己保持型ソレノイドの実装状態を示す側面図であり、図中、６４は小型自己保持型ソレノイド１０の取付面を示す。
小型自己保持型ソレノイド１０は、凸部３４を、曲線状に形成したものと言える。
凸部３４を、曲線状に形成することで、例えば、可動片１８を開放する方向に付勢する付勢手段１９に方向のばらつきに対しての適応範囲を拡げることができる。この結果、小型自己保持型ソレノイド１０の更なる信頼性の向上を図ることができる。
【００２３】
図７（ａ）〜（ｅ）は本発明に係る小型自己保持型ソレノイドの作用を示す比較検討図である。（ａ）〜（ｃ）は実施例の小型自己保持型ソレノイド１０を示し、（ｄ）〜（ｆ）は比較例の小型自己保持型ソレノイド１００を示す。
（ａ）において、取付面６４に対して可動片１８及び付勢手段１９が共に平行に取付いている場合を示し、矢印ａ１の如く可動片１８の移動方向と付勢手段１９の付勢方向が平行なので、理想的な取付状態であってヨーク１１（図１参照）から可動片１８を剥離する方向の力の発生はない。
【００２４】
（ｂ）において、取付面６４に対して付勢手段１９は矢印ｂ１の如く平行に取付いているが、可動片１８が矢印ｂ２の如く傾いて取付いている場合を示す。
小型自己保持型ソレノイド１０では、可動片１８の移動するベクトル方向と付勢手段１９のベクトル方向とにずれを生ずるので、可動片１８にかかる付勢手段１９の引張り力はスポイルされる（損なわれる）ものの、嵌合孔３３に凸部３４を形成したので、ヨーク１１（図１参照）から可動片１８を剥離する方向の力の発生はない。
【００２５】
（ｃ）において、取付面６４に対して可動片１８は矢印ｃ１の如く平行に取付いているが、付勢手段１９が矢印ｃ２の如く傾いて取付いている場合を示す。例えば、図６に示すピン部材３７が成形のばらつきにより、取付部６４に対して鋭角に形成されたり、鈍角に成形された場合を含む。
小型自己保持型ソレノイド１０では、可動片１８の移動するベクトル方向と付勢手段１９のベクトル方向とにずれを生ずるので、可動片１８にかかる付勢手段１９の引張り力はスポイルされる（損なわれる）ものの、嵌合孔３３に凸部３４を形成したので、ヨーク１１（図１参照）から可動片１８を剥離する方向の力の発生はない。
【００２６】
（ｄ）において、小型自己保持型ソレノイド１００は、可動片１０１の嵌合孔１０２の端面１０３が板圧方向に直線状である場合を示す。
取付面１０４に対して可動片１０１及び付勢手段１０５が共に平行に取付いている場合を示し、矢印ｄ１の如く可動片１０１の移動方向と付勢手段１０５の付勢方向が平行なので、理想的な取付状態であってヨーク（不図示）から可動片１０１を剥離する方向の力の発生はない。なお、１０６は付勢手段１０５のピン部材、１０７は付勢手段１０５の引張りばねである。
【００２７】
（ｅ）において、取付面１０４に対して付勢手段１０５は矢印ｅ１の如く平行に取付いているが、可動片１８が矢印ｅ２の如く傾いて取付いている場合を示す。
小型自己保持型ソレノイド１００では、嵌合孔１０２にピン部材１０６が片当たりするので、可動片１０１にヨーク（不図示）から可動片１０１を剥離する剥離方向の力は発生し、可動片１０１の保持力の低下を招く。
【００２８】
（ｆ）において、取付面１０４に対して可動片１０１は矢印ｆ１の如く平行に取付いているが、付勢手段１０５が矢印ｆ２の如く傾いて取付いている場合を示す。例えば、ピン部材１０６成形のばらつきにより、取付部１０４に対して鋭角に形成されたり、鈍角に成形された場合を含む。（ｅ）と同様に、小型自己保持型ソレノイド１００では、嵌合孔１０２にピン部材１０６が片当たりするので、可動片１０１にヨーク（不図示）から可動片１０１を剥離する剥離方向の力は発生し、可動片１０１の保持力の低下を招く。
【００２９】
図８（ａ）〜（ｃ）は本発明に係る小型自己保持型ソレノイドの可動片の嵌合孔の凸部の別形成方法の例示を示す説明図である。
（ａ）において、曲面部（Ｒ面）７２を備えたミーリング７１を用意するとともに、下孔７９を開けた可動片７８を用意し、ミーリング７１を矢印ｈ１の如く下孔７９に向けて下降させる。
（ｂ）において、嵌合孔８３の端面８３の中心部に半曲線状の段部８１を形成する。
（ｃ）において、ミーリング７１を矢印ｈ２の如く嵌合孔８３の下方から嵌合孔８３に向けて上昇させ、中心部に半曲線状の段部８２を形成する。すなわち、段部８１及び段部８２で嵌合孔８３の廻りに曲面状の凸部８４を形成することができる。
【００３０】
尚、本発明に係る小型自己保持型ソレノイドは、図６に示すように、凸部３４を嵌合孔３３の片側に設けたが、これに限るものではなく、嵌合孔の全周に設けたものであってもよい。
【産業上の利用可能性】
【００３１】
本発明に係る小型自己保持型ソレノイドは、光ディスクドライブや携帯電話などの小型電子機器に採用するのに好適である。
【図面の簡単な説明】
【００３２】
【図１】本発明に係る小型自己保持型ソレノイドの分解斜視図である。
【図２】本発明に係る小型自己保持型ソレノイドの平面図である。
【図３】本発明に係る小型自己保持型ソレノイドの側面図である。
【図４】本発明に係る小型自己保持型ソレノイドの可動片の嵌合孔の断面図である。
【図５】本発明に係る小型自己保持型ソレノイドの実装状態を示す平面図である。
【図６】本発明に係る小型自己保持型ソレノイドの実装状態を示す側面図である。
【図７】本発明に係る小型自己保持型ソレノイドの作用を示す比較検討図である。
【図８】本発明に係る小型自己保持型ソレノイドの可動片の嵌合孔の凸部の別形成方法の例示を示す説明図である。
【図９】従来の基本構成を説明する図である。
【符号の説明】
【００３３】
１０…小型自己保持型ソレノイド、１１…ヨーク、１４…ボビン、１５，１６…コイル（第１・第２のコイル）、１７…永久磁石、１８…可動片、１９…付勢手段、３３…嵌合孔、３３ａ…端面、３４…凸部。
【図１】
2007287741.tif 000003
【図２】
2007287741.tif 000004
【図３】
2007287741.tif 000005
【図４】
2007287741.tif 000006
【図５】
2007287741.tif 000007
【図６】
2007287741.tif 000008
【図７】
2007287741.tif 000009
【図８】
2007287741.tif 000010
【図９】
2007287741.tif 000011